(57)【要約】      （修正有）【課題】無駄コストを削減して低いコストで機能更新ができるテレビジョン受像機を提供する。 【解決手段】機能更新とあまり関係ない入出力部品は入出力部１に設けられ、機能更新とよく関係ある部品は処理部１１に設けられる。又、機能更新がよく発生する処理部１１と機能更新があまり発生しない入出力部１を分離する。機能更新をする場合、処理部１１だけを置き換えて、入出力部１を流用して、テレビジョン受像機全体の機能更新が実現できるので、無駄コストを削減して更新コストが低くなる。 【選択図】図１
0003210411.tif 000002
【実用新案登録請求の範囲】
【請求項１】
リモコン・キーボード受信部、チューナ部、復調部、復号部(CA)、ディスプレイ、スピーカーは全て入出力部に設けられ、リモコン・キーボード制御部、チューナ制御部、デマルチプレックス部、映像再生部、音声再生部は処理部に設けられ、処理部と入出力部が分離される特徴とするテレビジョン受像機。
【請求項２】
入出力部に独自暗号化部が設けられ、又処理部にも独自復号化部が設けられる特徴とするテレビジョン受像機。
【請求項３】
入出力部に入出力部側接続部が設けられ、処理部に処理部側接続部が設けられ、接続部の具体的な実現方法を問わず、リモコン・キーボード制御信号、チューナなど制御信号、TSデータ信号、映像信号、音声信号は全て入出力部側接続部と処理部側接続部を経由して入出力部と処理部の間で転送される特徴とするテレビジョン受像機。
【考案の詳細な説明】
【技術分野】
【０００１】
本考案は処理部と入出力部を分離するテレビジョン受像機に係り、処理部と入出力部が物理的に分離されて、独自量産できる。処理部と入出力部が直結方式或いはケーブル方式で接続されば完全テレビジョン受像機になる。機能更新関係の処理部だけを置き換えて、低いコストで新機能テレビジョン受像機の更新ができる仕組みを持っているテレビジョン受像機に関する。
【背景技術】
【０００２】
市場には一体型テレビジョン受像機は多いである、一体型テレビジョン受像機であれば、機能更新の場合、テレビジョン受像機全体を置き換えるので、コストがかかる。
【０００３】
コストを下げるため、特許文献１では、「液晶ディスプレイの分離式基板装置」を提案する（特許文献１［０００４］参照）。該提案は、メインボード、電源供給器サブボード、チューナーサブボード、及び延伸オーディオビデオ入出力サブボードを分けて、分離式基板装置を提案する。
該提案の分離部品は多い（4つある）、製造コストを下げるのは可能ですが、エンドユーザは自分で部品を選択して組立するのは複雑すぎるので、エンドユーザの立場から見ると、あまり実用できないです。
【０００４】
【特許文献１】実用新案登録第３１０２４４７号公報
【０００５】
又、市場にも表示部と本体が分離されるテレビジョン受像機もあるが、分離の目的は殆ど薄型テレビの目的である。表示部は主にディスプレイを含む。チューナなどは本体に設けられる。スピーカーは表示部に設けられる場合もあるし、本体に設けられる場合もある。リモコン受信部は殆ど本体に設けられる。
このような分離式テレビジョン受像機であれば、機能更新の場合、本体だけを置き換えて、一体型よりコスト削減が可能であるが、本体側に機能更新などとあまり関係ないチューナなど入出力部品も含まれるので、無駄コストが発生された。
【考案の概要】
【考案が解決しようとする課題】
【０００６】
通常のテレビジョン受像機であれば、機能更新をする場合、機能更新とあまり関係ない部品も置き換えるので、無駄コストがかかる。一体型テレビジョン受像機の更新であれば、全部置き換えるのでコストがかかる。表示部と本体が分離されるテレビジョン受像機は本体だけを置き換えて、機能更新ができるが、本体側に機能更新とあまり関係ないチューナなど入出力部品も含まれるので、無駄コストが発生される。
無駄コストがあまり発生しない低いコストで機能更新ができるテレビジョン受像機を提供するのは本考案の課題です。
又、エンドユーザが簡単に機能更新ができるのも本考案の課題です。
【課題を解決するための手段】
【０００７】
機能更新とあまり関係ない入出力部品は入出力部1に設けられ、機能更新とよく関係ある部品は処理部11に設けられる。具体的には、リモコン・キーボード受信部2、チューナ部3、復調部4、復号部(CA)5、ディスプレイ6、スピーカー7は全て入出力部1に設けられ、リモコン・キーボード制御部12、チューナ制御部13、デマルチプレックス部16、映像再生部14、音声再生部15は処理部11に設けられる。処理部11と入出力部1が分離される特徴とするテレビジョン受像機。
機能更新がよく発生する処理部11と機能更新があまり発生しない入出力部1を分離することによって、機能更新をする場合、処理部11だけを置き換えて、入出力部1を流用して、テレビジョン受像機全体の機能更新が実現できるので、無駄コストを削減して更新コストが低くなる。又、処理部11だけを置き換えて機能更新が実現できるので、エンドユーザとしても操作が簡単で便利です。
【０００８】
復号部(CA)5も入出力部1に設けられるので、復号部(CA)5によって出力されたＴＳデータは復号ＴＳデータである。復号ＴＳデータをそのまま分離の処理部11に転送することは著作権違反であるので、入出力部1に独自暗号化部8が設けられ、独自暗号化後のＴＳデータを処理部11に転送する。又処理部11に独自復号化部17が設けられて復号する。入出力部1に独自暗号化部8が設けられ、又処理部11に独自復号化部17が設けられる特徴とするテレビジョン受像機であるので、処理部11と入出力部1が分離しても、合法的にＴＳデータを転送できる。
【０００９】
入出力部1に入出力部側接続部9が設けられ、処理部11に処理部側接続部18が設けられ、接続部の具体的な実現方法を問わず、リモコン・キーボード制御信号、チューナなど制御信号、TSデータ信号、映像信号、音声信号は全て入出力部側接続部9と処理部側接続部18を経由して入出力部1と処理部11の間で転送される特徴とするテレビジョン受像機。この構造で、入出力部1と処理部11はUSB-C、HDMI（登録商標、下記は重複説明しません）、Displayport、MHLなどケーブルで接続もできるし、ケーブルなし独自ポートの直結方式でも接続できる。この構造で、入出力部1と処理部11が接続されば、完全テレビジョン受像機になる。
【考案の効果】
【００１０】
現在、技術の進歩が速いので、テレビジョン受像機のソフトウェアバージョンアップとハードウェア更新がよく発生する。本考案は入出力部と処理部を分離して、入出力部には機能変更とあまり関係ない入出力部品が設けられ、機能変更とよく関係がある部品は処理部に設けられる。本考案のテレビジョン受像機によれば、機能更新の場合、処理部だけを置き換えて、入出力部を流用して、低いコストでテレビジョン受像機の機能更新ができて、新機能テレビジョン受像機を利用できる。
【００１１】
本考案は経済効果だけでなく、社会的な効果もある。コスト削減の経済効果があるのは勿論ですが、電子ゴミも減少されて、環境保護など社会的な効果もある。更に、入出力部と処理部を分離することにより、入出力部と処理部は別々会社に製造されても可能であるので、 テレビジョン受像機の製造分野で、分業化と専門化が実現でき、製造効率の向上も可能になる。
【図面の簡単な説明】
【００１２】
【図１】本考案に係る入出力部と処理部が分離されるテレビジョン受像機のブロック回路図である。
【図２】実施例1に係るUSB-Cケーブルで入出力部側接続部と処理部側接続部を接続する場合の詳細ブロック回路図である。
【図３】実施例2に係るHDMI/Displayport/MHL などケーブルで入出力部側接続部と処理部側接続部を接続する場合の詳細ブロック回路図である。
【図４】実施例3に係るケーブルなし直結方式で入出力部側接続部と処理部側接続部を接続する場合の詳細ブロック回路図である。
【考案を実施するための形態】
【００１３】
以下、本考案の実施形態を図１によって具体的に説明する。
テレビジョン受像機の構成と処理すべき各信号の処理流れで説明する。
【００１４】
構成を説明する。リモコン・キーボード受信部2、チューナ部3、復調部4、復号部(CA)5、ディスプレイ6、スピーカー7は全て入出力部1に設けられ、入出力部側接続部9と接続される。 又、データ転送は暗号化が必要であるので、復号部(CA)5に復元されたTSを独自暗号化する独自暗号化部8も入出力部1に設けられ、入出力部側接続部9と接続される。 リモコン・キーボード制御部12、チューナ制御部13、映像再生部14、音声再生部15は処理部11に設けられ、処理部側接続部18と接続される。 独自復号化部17が設けられ、処理部側接続部18と接続される。デマルチプレックス部16は独自復号化部17と接続されて、復号されたTSを処理する。 入出力部1と処理部11の双方向データ交換は全部入出力部側接続部9と処理部側接続部18を経由する。
【００１５】
テレビジョン受像機が処理すべき各信号の処理流れで説明する。
各信号は通常のテレビジョン受像機と同様に、リモコン・キーボード制御信号（COM規格）、チューナなど制御信号 (I2C規格)、TSデータ信号（I2S規格或いはSDIO規格)、映像信号(LDVS規格、HDMI規格など)、音声信号(SPDIF規格、HDMI規格など)である。
【００１６】
リモコン・キーボード制御の入力信号を処理する場合には、ユーザ操作の入力信号はCOM信号でリモコン・キーボード受信部2に受けられ、入出力部側接続部9に渡される。  入出力部側接続部9は転送信号規格で信号を処理部側接続部18に転送する。  転送信号規格はUSB-C などCOM規格ではない場合には、入出力部側接続部9はCOM信号を転送信号規格に変換して、処理部側接続部18は転送信号規格をCOM信号に変換する。処理部側接続部18はCOM信号をリモコン・キーボード制御部12に渡す。リモコン・キーボード制御部12はCOM信号を処理して、ユーザ操作の対応機能を実現する。
【００１７】
リモコン・キーボード制御の出力信号を処理する場合には、リモコン・キーボード制御部12からCOM信号を処理部側接続部18に渡す。  処理部側接続部18は転送信号規格で信号を入出力部側接続部9に転送する。  転送信号規格はUSB-C などCOM規格ではない場合には、処理部側接続部18はCOM信号を転送信号規格に変換して、入出力部側接続部9は転送信号規格をCOM信号に変換する。入出力部側接続部9はCOM信号をリモコン・キーボード受信部2に出力する。
【００１８】
チューナなど制御信号を出力する場合には、チューナ制御部13からI2C信号を処理部側接続部18に渡す。  処理部側接続部18は転送信号規格で信号を入出力部側接続部9に転送する。  転送信号規格はUSB-C などI2C規格ではない場合には、処理部側接続部18はI2C信号を転送信号規格に変換して、入出力部側接続部9は転送信号規格をI2C信号に変換する。入出力部側接続部9はI2C信号をチューナ部3、復調部4、復号部(CA)5、独自暗号化部8に出力する。
【００１９】
TSデータをデマルチプレックスする場合には、チューナ部3が放送データを受けて、復調部4に渡す。復調部4は復調されたデータを復号部(CA)5に渡す。復号部(CA)5は復号された TSを独自暗号化部8に渡す。独自暗号化部8は独自暗号化処理をする。独自暗号化TSデータが入出力部側接続部9にI2S或いはSDIO信号で渡される。入出力部側接続部9は転送信号規格で信号を処理部側接続部18に転送する。  転送信号規格はUSB-C などI2S或いはSDIO規格ではない場合には、入出力部側接続部9はI2S或いはSDIO信号を転送信号規格に変換して、処理部側接続部18は転送信号規格をI2S或いはSDIO信号に変換する。処理部側接続部18はI2S或いはSDIO信号で独自暗号化TSデータを独自復号化部17に渡す。独自復号化部17は復号して、復号TSデータをデマルチプレックス部16に渡す。デマルチプレックス部16はデマルチプレックス処理 して圧縮デジタル映像データと圧縮デジタル音声データを分離する。圧縮デジタル映像データは映像再生部14に渡されて、圧縮デジタル音声データは音声再生部15に渡される。
【００２０】
映像信号を出力する場合には、映像再生部14は圧縮デジタル映像データから再生できる映像信号に変換する。映像再生部14は映像信号をベース信号規格で処理部側接続部18に渡す。ベース信号規格はLDVS、HDMI、Displayport、MHLなどである。処理部側接続部18は転送信号規格で信号を入出力部側接続部9に転送する。転送信号規格はLDVS、HDMI、Displayport、MHL、USB-Cなどである。転送信号規格とベース信号規格は違う場合、例えば、ベース信号規格はLDVS で、転送信号規格はUSB-Cである場合、処理部側接続部18はベース信号規格を転送信号規格に変換して、入出力部側接続部9は転送信号規格をベース信号規格に変換する。最後映像信号がベース信号規格でディスプレイ6に出力される。
【００２１】
音声信号を出力する場合には、音声再生部15は圧縮デジタル音声データから再生できる音声信号に変換する。音声再生部15は音声信号をベース信号規格で処理部側接続部18に渡す。ベース信号規格はSPDIF、HDMI、Displayport、MHLなどである。処理部側接続部18は転送信号規格で信号を入出力部側接続部9に転送する。転送信号規格はSPDIF、HDMI、Displayport、MHL、USB-Cなどである。転送信号規格とベース信号規格は違う場合、例えば、ベース信号規格はSPDIF で、転送信号規格はUSB-Cである場合、処理部側接続部18はベース信号規格を転送信号規格に変換して、入出力部側接続部9は転送信号規格をベース信号規格に変換する。最後音声信号がベース信号規格でスピーカー7に出力される。
【００２２】
以上の説明のように、入出力部1と処理部11を分離する本考案はテレビジョン受像機が処理すべき各信号をうまく処理できて、通常のテレビジョン受像機と同様機能を実現できる上、機能変更のコスト削減のメリットがある。
【実施例１】
【００２３】
以下、実施形態の補充説明として、本考案の一番目実施例を図２を用いて詳細に説明する。
図２はUSB-Cケーブルで入出力部側接続部9と処理部側接続部18を接続する場合の詳細ブロック回路図である。
入出力部側接続部9にCOMインタフェース21、I2Cインタフェース22、I2S/SDIOインタフェース23、LDVSインタフェース24、SPDIFインタフェース25が設けられ、独自変換回路27とUSB-C インタフェース26も設けられる。処理部側接続部18にもCOMインタフェース31、I2Cインタフェース32、I2S/SDIOインタフェース33、LDVSインタフェース34、SPDIFインタフェース35が設けられ、独自変換回路37とUSB-C インタフェース36も設けられる。入出力部側接続部9と処理部側接続部18の信号転送はUSB-C インタフェース26とUSB-C インタフェース36を経由してUSB-C規格で転送される。独自変換回路27と独自変換回路37はUSB-C規格と各入出力信号規格(COM規格、I2C規格、I2S/SDIO規格、LDVS規格、SPDIF規格)を変換する。入出力部側接続部9と入出力部1の他の部品の間の信号規格はCOM、I2C、I2S/SDIO、LDVS、SPDIFである。処理部側接続部18と処理部11の他の部品の間の信号規格もCOM、I2C、I2S/SDIO、LDVS、SPDIFである。    
以上の説明で、具体的にUSB-Cケーブルで入出力部側接続部9と処理部側接続部18を接続する方式で、実施形態を具体的に実施できる。
【実施例２】
【００２４】
以下、実施形態の補充説明として、本考案の二番目実施例を図３を用いて詳細に説明する。図３はHDMI/Displayport/MHL などケーブルで入出力部側接続部9と処理部側接続部18を接続する場合の詳細ブロック回路図である。入出力部側接続部9にCOMインタフェース21、I2Cインタフェース22、I2S/SDIOインタフェース23が設けられ、独自変換回路29とHDMI/Displayport/MHL インタフェース28も設けられる。処理部側接続部18にもCOMインタフェース31、I2Cインタフェース32、I2S/SDIOインタフェース33が設けられ、独自変換回路39とHDMI/Displayport/MHL インタフェース38も設けられる。入出力部側接続部9と処理部側接続部18の信号転送はHDMI/Displayport/MHL インタフェース28とHDMI/Displayport/MHL インタフェース38を経由してHDMI/Displayport/MHL規格で転送される。映像信号と音声信号は直接HDMI/Displayport/MHLを採用するので、変換必要はない。映像と音声以外の信号については、独自変換回路29と独自変換回路39によって、HDMI/Displayport/MHL規格と入出力信号規格(COM規格、I2C規格、I2S/SDIO規格)の変換が行われる。入出力部側接続部9とディスプレイ6及びスピーカー7の間の信号規格はHDMI/Displayport/MHLで、入出力部側接続部9と入出力部1の他の部品の間の信号規格はCOM、I2C、I2S/SDIOである。処理部側接続部18と映像再生部14及び音声再生部15の間の信号規格はHDMI/Displayport/MHLで、処理部側接続部18と処理部11の他の部品の間の信号規格はCOM、I2C、I2S/SDIOである。    
以上の説明で、具体的にHDMI/Displayport/MHL などケーブルで入出力部側接続部9と処理部側接続部18を接続する方式で、実施形態を具体的に実施できる。
【実施例３】
【００２５】
以下、実施形態の補充説明として、本考案の三番目実施例を図４を用いて詳細に説明する。
図４はケーブルなし直結方式で入出力部側接続部9と処理部側接続部18を接続する場合の詳細ブロック回路図である。
入出力部側接続部9にCOMインタフェース21、I2Cインタフェース22、I2S/SDIOインタフェース23、LDVSインタフェース24、SPDIFインタフェース25が設けられ、処理部側接続部18にもCOMインタフェース31、I2Cインタフェース32、I2S/SDIOインタフェース33、LDVSインタフェース34、SPDIFインタフェース35が設けられる。直結方式ですので、独自変換回路は不要である。入出力部側接続部9と処理部側接続部18の信号転送規格は直接COM、I2C、I2S/SDIO、LDVS、SPDIFである。入出力部1と処理部11の内部もCOM、I2C、I2S/SDIO、LDVS、SPDIF規格である。以上の説明で、具体的にケーブルなし直結方式で入出力部側接続部9と処理部側接続部18を接続する方式で、実施形態を具体的に実施できる。
【産業上の利用可能性】
【００２６】
本考案はテレビジョン受像機に係るが、機能変更関係部分と機能変更関係ない部分を分離する方式は他の産業分野でも活用できる。例えば、パソコン、家庭電気製品などについても、機能変更関係部分と機能変更関係ない部分を分離すれば、低いコストで製品全体の機能更新ができるので、経済効果と環境保護の効果が著しいである。 
【符号の説明】
【００２７】
1…テレビジョン受像機の入出力部
2…リモコン・キーボード受信部
3…チューナ部
4…復調部
5…復号部(CA)
6…ディスプレイ
7…スピーカー
8…独自暗号化部
9…入出力部側接続部
11…テレビジョン受像機の処理部
12…リモコン・キーボード制御部
13…チューナ制御部
14…映像再生部
15…音声再生部
16…デマルチプレックス部
17…独自復号化部
18…処理部側接続部
21…入出力部側接続部のCOMインタフェース
22…入出力部側接続部のI2Cインタフェース
23…入出力部側接続部のI2S/SDIOインタフェース
24…入出力部側接続部のLDVSインタフェース
25…入出力部側接続部のSPDIFインタフェース
26…入出力部側接続部のUSB-C インタフェース
27…入出力部側接続部の独自変換回路
28…入出力部側接続部のHDMI/Displayport/MHL インタフェース
29…入出力部側接続部の独自変換回路
31…処理部側接続部のCOMインタフェース
32…処理部側接続部のI2Cインタフェース
33…処理部側接続部のI2S/SDIOインタフェース
34…処理部側接続部のLDVSインタフェース
35…処理部側接続部のSPDIFインタフェース
36…処理部側接続部のUSB-C インタフェース
37…処理部側接続部の独自変換回路
38…処理部側接続部のHDMI/Displayport/MHL インタフェース
39…処理部側接続部の独自変換回路
【図１】
0003210411.tif 000003
【図２】
0003210411.tif 000004
【図３】
0003210411.tif 000005
【図４】
0003210411.tif 000006
【手続補正書】
【提出日】平成29年3月14日(2017.3.14)
【手続補正１】
【補正対象書類名】実用新案登録請求の範囲
【補正対象項目名】全文
【補正方法】変更
【補正の内容】
【実用新案登録請求の範囲】
【請求項１】
リモコン・キーボード受信部、チューナ部、復調部、復号部(CA)、ディスプレイ、スピーカーは全て入出力部に設けられ、リモコン・キーボード制御部、チューナ制御部、デマルチプレックス部、映像再生部、音声再生部は処理部に設けられ、処理部と入出力部が分離されることを特徴とするテレビジョン受像機。
【請求項２】
入出力部に独自暗号化部が設けられ、又処理部にも独自復号化部が設けられることを特徴とする請求項１に記載のテレビジョン受像機。 
【請求項３】
入出力部に入出力部側接続部が設けられ、処理部に処理部側接続部が設けられ、接続部の具体的な実現方法を問わず、リモコン・キーボード制御信号、チューナ制御信号、TSデータ信号、映像信号、音声信号は全て入出力部側接続部と処理部側接続部を経由して入出力部と処理部の間で転送されることを特徴とする請求項１又は２に記載のテレビジョン受像機。